(57)【要約】      （修正有）【課題】換気ユニットが一定時間毎に吸気と排気を切り替えて空気の流れを起こさせるような呼吸型換気システムを提供する。【解決手段】少なくともファン及び蓄熱エレメントを有し室内吸気などと外気などを換気させる換気ユニットと、その換気ユニットの作動を制御するコントローラユニットとからなる呼吸型換気システムにおいて、換気ユニットが一定時間毎に吸気と排気を切り替え、あたかも動物が呼吸するようにして空気の流れを起こさせることにより、対象域内の空気を全体的に大きく流動させたり、淀みを残さずに換気を行えるようにしたり、設置工事を簡素化したりすることができるようにしたもの。【選択図】図１
2014085102.tif 000002
【特許請求の範囲】
【請求項１】
少なくともファン及び蓄熱エレメントを有する換気ユニットと、その換気ユニットの作動を制御するコントローラユニットとからなる換気システムにおいて、前記換気ユニットが一定時間毎に吸気と排気を切り替えて空気の流れを起こさせることを特徴とする呼吸型換気システム。
【請求項２】
前記蓄熱エレメントは、１又は２以上のエレメント部材で構成されていることを特徴とする請求項１記載の呼吸型換気システム。
【請求項３】
前記エレメント部材は、横断面が略格子状であって縦断面が略横縞状であることを特徴とする請求項２記載の呼吸型換気システム。
【請求項４】
前記エレメント部材は、横断面が略正方形であって縦断面が略長方形状であることを特徴とする請求項２記載の呼吸型換気システム。
【請求項５】
前記ファンは、１又は２以上のターボファンで構成されていることを特徴とする請求項１〜４の何れか１項に記載された呼吸型換気システム。
【発明の詳細な説明】
【技術分野】
【０００１】
本発明は呼吸型換気システムに関し、特に、換気ユニットが一定時間毎に吸気と排気を切り替えて空気の流れを起こさせる呼吸型換気システムに関する。
【背景技術】
【０００２】
屋内の淀んだ空気などを外部の新鮮な空気と入れ替えること等を目的として、従来から換気システムが家屋などの建物に取り付けられている。また、近時の住宅高気密化に伴い、環境を考慮して外気を利用する熱交換型換気装置の必要性が高まってきている。
一方、下記の特許文献１に記載されているエンジン装置には、上述のような換気システムに良く似た構成で換気を行う機構が組み込まれている。すなわち、図４は下記特許文献１に記載されエンジン室とポンプ室とを隔離する構造のエンジン装置を示す図であり、図中、エンジン２１を収容するエンジン室２２の一方の側には、隔壁体２３aを介して、エンジン２１で駆動する油圧ポンプ２４を収容したポンプ室２５が配置されている。
エンジン室２２には、エンジン２１により駆動するコンプレッサ４１が設けられている。このコンプレッサ４１は、吸気配管４２を介して吸込んだ外部空気を圧縮したのち、ノズル状の空気噴出部４５からエンジン室２２内に供給する。この空気噴出部４５は、エンジン室２２内で最も冷却を要する最冷却対象物３１に対して低温の圧縮空気を吹付けるようになっている。また、エンジン室２２の排気部分には、エンジン室２２内の空気をエジェクタ機能により外部へ強制的に排出する空気排出手段３３が設けられている。
このような空気の吸引・圧縮・噴出により、最も冷却を要する箇所に低温の空気が供給されると共に不要となった空気がエジェクタ機能で外部へ強制的に排出されるようになっている。
【特許文献１】特開２００３−３２８７６９号公報
【発明の開示】
【発明が解決しようとする課題】
【０００３】
然しながら、上記従来例においては、一定時間毎に吸気と排気を切り替えて空気の流れを起こさせることはできない
という欠点があった。すなわち、外気の影響をさほど受けることなく最冷却対象物３１などに低温の空気を供給することができるものの、一定時間毎に吸気と排気を切り替えて空気の流れを起こさせることができないという問題があった。更に、対象域内の空気を全体的に大きく流動させることが難しく、上記のような従来技術を用いても換気後に空気の淀みが残るという問題もあった。
本発明はかかる従来例の問題などに鑑みてなされたものであり、その目的は、上述のような従来例の問題などを解決し
換気ユニットが一定時間毎に吸気と排気を切り替えて空気の流れを起こさせることができる呼吸型換気システムを提供することにある。
【課題を解決するための手段】
【０００４】
上述のような課題を解決する本発明は、少なくともファン及び蓄熱エレメントを有する換気ユニットと、その換気ユニットの作動を制御するコントローラユニットとからなる呼吸型換気システムにおいて、換気ユニットが一定時間毎に吸気と排気を切り替えて空気の流れを起こさせることを特徴とする。
同様に、上述のような課題を解決する本発明は、少なくともファン及び蓄熱エレメントを有する換気ユニットとその換気ユニットの作動を制御するコントローラユニットとからなる呼吸型換気システムにおいて、蓄熱エレメントが１又は２以上のエレメント部材で構成されていることを特徴とする。
同様に、上述のような課題を解決する本発明は、少なくともファン及び蓄熱エレメントを有する換気ユニットとその換気ユニットの作動を制御するコントローラユニットとからなる呼吸型換気システムにおいて、蓄熱エレメントを構成するエレメント部材は、横断面が略格子状であって縦断面が略横縞状であることを特徴とする。
同様に、上述のような課題を解決する本発明は、少なくともファン及び蓄熱エレメントを有する換気ユニットとその換気ユニットの作動を制御するコントローラユニットとからなる呼吸型換気システムにおいて、蓄熱エレメントを構成するエレメント部材は、横断面が略正方形であって縦断面が略長方形状であることを特徴とする。
同様に、上述のような課題を解決する本発明は、少なくともファン及び蓄熱エレメントを有する換気ユニットとその換気ユニットの作動を制御するコントローラユニットとからなる呼吸型換気システムにおいて、ファンが１又は２以上のターボファンで構成されていることを特徴とする。
【発明の効果】
【０００５】
以上詳しく説明したような本発明の呼吸型換気システムによれば、換気ユニットが一定時間毎に吸気と排気を切り換え
て空気の流れを起こさせることができる。また、対象域内の空気を全体的に大きく流動させることができ、淀みを残さずに
換気を行うことができる。更に、換気ユニットとコントロールユニットなどの駆動制御部を専用通信回線で結んだりすることも
不要で、設置工事を簡素化できるという利点もある。
【発明を実施するための最良の形態】
【０００６】
以下、図を参照しながら本発明の実施形態について詳しく説明する。
図１は本発明実施形態の要部を説明するための図であり、図２はエレメント部材の一部を裁断して示す構成斜視図である。これらの図において、１０１a〜１０１nは換気ユニットに搭載された熱交換エレメントを構成する各エレメント部材、１０２は各エレメント部材１０１a〜１０１nの一端が集合するようにして形成されている集合部、１０３aは例えば集合部１０２内の気体を外気へ導く第１ファン、１０３bは例えば外気を吸引して集合部１０２内に供給する第２ファン、１０４a,１０４bはそれぞれ第１,第２のファン１０３a,１０３bを駆動させる第１,第２のモータ、１０５a〜１０５nはエレメント部材１０１a〜１０１nの各端部、１０６aは第２ファン１０３bによって導入された外気が集合部１０２を経由して第１ファン１０３aに回り込むのを防止する第１逆止弁、１０６bは第１ファン１０３aが集合部１０２内の気体を外気へ導びく時に閉じることによって第２ファン１０３bで導入された外気が集合部１０２を経由して第１ファン１０３aに回り込むのを防止する第２逆止弁である。
また、各エレメント部材１０１a〜１０１nの横断面は、例えば、図２で示すように格子状となっており、図２のA-A’断面すなわち各エレメント部材１０１a〜１０１nの縦断面は、例えば横縞状となっている。
なお、第１,第２のモータ１０４a,１０４bを正逆回転が切替え可能な１台のモータで代替し、正回転と逆回転を交互に切り替えるようにしても良い。また、第１,第２のファン１０３a,１０３bも正逆回転が切替え可能な１台のファンで代替し、例えば、外気を吸引して集合部１０２内に供給することと集合部１０２内の気体を外気へ導くことを交互に行わせるようにしても良く、その場合などには第１,第２の逆止弁１０６a,１０６bが不要となる。また、各エレメント部材１０１a〜１０１nを横断面が略正方形で縦断面が略長方形のエレメント部材と代替し、それらが集合して構成されている熱交換エレメントの横断面が略格子状で縦断面が横縞状となるようにしても良い。
このような要部構成からなる本実施形態において、例えば建物の内壁などに設置されたコントローラユニット（図示せず）からの指令を受けて第２モータ１０４bが駆動して第２ファン１０３bが回転すると、外気が吸引されて集合部１０２内に供給され、その後、各エレメント部材１０１a〜１０１nに導かれてそれぞれ温度調節及び／又は湿度調節が行われ、エレメント部材１０１a〜１０１nの各端部１０５a〜１０５nから室内などにそれぞれ排出される。また、上記コントローラユニットなどからの指令を受け第１モータ１０４aが駆動して第１ファン１０３aが回転すると、室内の空気などが各エレメント部材１０１a〜１０１nの他端開口部１０５a〜１０５nから吸引され、集合部１０２と第第１ファン１０３aを通って外気へと導かれる。
一方、図３は本実施形態の使用例を説明するための図であり、図中、２０１は建物の柱などから成る骨組部分、２０２a,２０２bは建物の室内、２０３は建物の床下、２０４,２０５は床下２０３内と家屋の外部をそれぞれ連通させる第1,第２の連通管、２０４a,２０４bは第１連通管２０４の第１,第２の開口部、２０５a,２０５bは第２連通管２０５の第１,第２の開口部、２０４c,２０５cは図１と図２を用いて要部を詳述した本実施形態の換気ユニット、２０６a,２０６bは床下２０３内の空気と例えば１階の室内２０２b内の空気を連通させる第１,第２のエアムーバ、２０７a,２０７bは例えば１階の室内２０２b内と２階の室内２０２a内を連通させる第３,第４のエアムーバ、２０８aは２階の室内２０２a内の所定位置に設置された温度検出センサー及び又は湿度検出センサーからなる第１センサー、２０８bは1階の室内２０２b内の所定位置に設置された温度検出センサー及び又は湿度検出センサーからなる第２センサーである。
このような構成からなる本実施形態の使用例において、上記コントローラユニットなどからの指令を受けて換気ユニット２０４cが駆動すると、外気が、第２開口部２０４b→第１連通管２０４の内部→第１開口部２０４aを通って床下２０３内に供給されたり、床下２０３内の空気が、第１開口部２０４a→第１連通管２０４の内部→第２開口部２０４bを通って外部へ排出されたりする。同様に、上記コントローラユニットなどからの指令を受けて換気ユニット２０５cが駆動すると、床下２０３内の空気が、第１開口部２０５a→第２連通管２０５の内部→第２開口部２０５bを通って外部へ排出されたり、外気が、第２開口部２０５b→第２連通管２０５の内部→第１開口部２０５aを通って床下２０３内に供給されたりする。
また、上記コントローラユニットなどからの指令を受けて第３エアムーバ２０７aが駆動すると、２階の室内２０２aの空気が第３エアムーバ２０７aを介して１階の室内２０２bに導かれる。同様にして、第４エアムーバ２０７bが駆動すると、１階の室内２０２bの空気が第４エアムーバ２０７bを介して２階の室内２０２bに導かれる。
また、上記コントローラユニットなどからの指令を受けて第１エアムーバ２０６aが駆動すると、１階の室内２０２bの空気が第１エアムーバ２０６aを介して床下２０３に導かれる。同様にして、第２エアムーバ２０６bが駆動すると、床下２０３内の空気が第２エアムーバ２０６bを介して１階の室内２０２bに導かれる。
なお、例えば２階の壁などに設置された第１センサー２０８a、１階の壁などに設置された第２センサー２０８b、或いは床下２０３の所定位置に設置された第３センサー２０８cによって夫々検出された各温度検出信号及び又は各湿度検出信号が、上記コントローラユニットなどに送出されて信号処理され、その結果に基いて、上記コントローラユニットなどから各換気ユニット２０４c,２０５cや各エアムーバ２０６a,２０６b,２０７a,２０７bにそれぞれ駆動信号が送出されている。
以上のようにして、上記コントローラユニットなどからの指令に基づいて一定時間(例えば７０秒)毎に吸気と排気が切り換えられ、室内２０２a,２０２bや床下２０３のような対象域内で換気が行われるようになる。
なお、本発明は上述の実施形態に限定されることなく種々の変形が可能であり、例えば、次の（１）〜（３）のように変形することも可能である。
（１）図１及び図２を用いて要部を詳述した換気ユニット２０４c,２０５cの数を更に増加させ、床下２０３などの空気を強力に換気することにより、進行している床下建築部材の腐食を止めたりシロアリ発生などを防止したりする。
（２）建物の室内に複数個の換気ユニットを設置すると共に建物の土台部分にも１又は２以上の換気ユニットを設置すること等により、全館換気のような建物全体の換気を行う。
（３）図１を用いて詳述した第１,第２のファン１０３a,１０３bは通常、ファン本体とスペーサで構成され夫々別部品となっているが、それらを一体化させて一部品とすることにより、部品点数を減少させてコスト低減を図る。
【図面の簡単な説明】
【０００７】
【図１】本発明の実施形態の要部を説明するための図
【図２】エレメント部材の一部を裁断して示す構成斜視図
【図３】本実施形態の使用例を説明するための図
【図４】従来例を説明するための図
【符号の説明】
【０００８】
１０１a〜１０１n                  エレメント部材
１０２                              集合部
１０３a,１０３b                    第１,第２のファン
１０４a,１０４b                    第１,第２のモータ
１０５a〜１０５n                  エレメント部材１０１a〜１０１nの各端部
１０６a,１０６b             
第１,第２の逆止弁
２０１                       
建物の柱などから成る骨組部分
２０２a,２０２b                    建物の室内
２０３                              建物の床下
２０４,２０５                        床下内と家屋の外部をそれぞれ連通させる第1,第２の連通管
２０４a,２０４b                      第１連通管２０４の第１,第２の開口部
２０５a,２０５b                      第２連通管２０５の第１,第２の開口部
２０４c,２０５c                      本実施形態の換気ユニット
２０６a,２０６b                    第１,第２のエアムーバ
２０７a,２０７b                      第３,第４のエアムーバ
２０８a,２０８b                    第１,第２のセンサー
【図１】
2014085102.tif 000003
【図２】
2014085102.tif 000004
【図３】
2014085102.tif 000005
【図４】
2014085102.tif 000006